(57)【特許請求の範囲】
【請求項１】
複数のインク面を有する固定インクジェットプリントヘッドから印刷する方法であって、当該方法は、
媒体供給方向に前記プリントヘッドを通過するように印刷媒体を供給するステップであって、前記媒体供給方向は、前記プリントヘッドの相対的な上流及び下流を規定する、ステップと、
画像データによって規定される画像を印刷媒体上に印刷するステップと、
前記プリントヘッドの各インク面から前記印刷媒体上にキープウェットパターンを印刷するステップであって、前記キープウェットパターンは、前記プリントヘッドの各ノズルが湿潤した状態を維持するのに十分な周波数で印刷される複数のドットによって規定される、ステップと、を含み、
第１インク面からの第１キープウェットパターンは、第２インク面からの第２キープウェットパターンよりも高い周波数で印刷され、前記第１インク面は前記プリントヘッド内で最も上流にあり、
前記プリントヘッドは、前記第１及び第２インク面の間に位置決めされた第３インク面を備え、前記第３インク面は第３キープウェットパターンを印刷し、
前記第３キープウェットパターンは、前記第１及び第２キープウェットパターンよりも低い周波数で印刷されることを特徴とする方法。
【請求項２】
各インク面は１以上のノズル行を含み、１つのインク面内の各ノズル行には同一のインクが供給される、請求項１に記載の方法。
【請求項３】
前記プリントヘッドの各ノズルは、前記画像を印刷すること、又は、前記キープウェットパターンを印刷することのいずれかによって、各印刷ジョブ中に０．５Ｈｚよりも高い周波数で放出する、請求項１に記載の方法。
【請求項４】
前記キープウェットパターンは、裸眼の人間の目には実質的に見えないドットの疑似ランダムパターンを含む、請求項１に記載の方法。
【請求項５】
前記第２キープウェットパターンは、前記第１キープウェットパターンよりも低い周波数で印刷される、請求項１に記載の方法。
【請求項６】
前記プリントヘッドはモノクロプリントヘッドである、請求項１に記載の方法。
【請求項７】
前記プリントヘッドは多色プリントヘッドである、請求項１に記載の方法。
【請求項８】
前記第１インク面は黄色インクを排出する、請求項７に記載の方法。
【請求項９】
前記第３インク面は黒色インクを排出する、請求項７に記載の方法。
【発明の詳細な説明】
【技術分野】
【０００１】
本発明は、印刷方法、及び、プリントヘッドのための印刷データを生成するプリンタコントローラに関する。本発明は、視覚の影響を最小にしつつインクジェットプリントヘッドのノズルの水和を維持するために主として発展してきた。
【背景技術】
【０００２】
ホームアンドオフィス（「ＳＯＨＯ」）プリンタ、ラベルプリンタ及び大判プリンタを含む多数の様々な印刷フォーマットについて、Ｍｅｍｊｅｔ（登録商標）技術を採用したインクジェットプリンタが市販されている。Ｍｅｍｊｅｔ（登録商標）プリンタは通常、ユーザ交換式である１以上の固定インクジェットプリントヘッドを備えている。例えば、ＳＯＨＯプリンタ又は卓上ラベルプリンタは、１つのユーザ交換式多色（多色刷り）プリントヘッドを備えており、高速ウェブプリンタは、媒体（ウェブ）供給方向に沿って整列した複数のユーザ交換式モノクロプリントヘッドを備えており（例えば米国特許出願公開第２０１２／００９２４０３号明細書及び米国特許第８３９８２３１号明細書を参照）、かつ、大判プリンタは、大判ページ幅の全域に広がるように交互に重なった配置で複数のユーザ交換式多色プリントヘッドを備えている（米国特許第８３８８０９３号明細書を参照）。
【０００３】
インクジェットノズルは、適切に機能するために水和状態で維持されなければならない。ノズルが完全に水和されていない場合、ノズルは、インクによって詰まりやすく（「デキャップされる」）、かつ、放出信号に応答してインクの小滴を排出することができなくなる場合がある。たとえ脱水状態になったノズルが放出信号に応じてインクを依然として排出することができたとしても、排出された小滴は、誤った方向にいく場合があり、完全に水和されていない場合に小滴の容積を減少させる又は排出速度を低下させる場合があり、そのいずれも印刷品質の低下につながる場合がある。ノズル脱水の問題は、概して小さな小滴容積（例えば１〜３ｐＬ）を有するとともに樹枝状インク供給チャネルを有するＭｅｍｊｅｔ（登録商標）プリンタにおいて特に深刻になる。
【０００４】
インクジェットプリンタは通常、ノズルの詰まりを除去するため又はノズルを完全に水和状態に戻すために様々な方策を採用している。通常、これは、ワイピング、強制的なインク抜き（例えばノズルプレートを真空に引く又はインク供給部に正圧を加えることによって）、及び、インクつぼ内へのインク小滴の放出（「スピッティング」）を含み得る保守サイクルを包含する。スピッティングは、通常の小滴排出エネルギーを増大させてノズルからインクを強制的に押し出すことを包含する（例えば、参照によってその内容が本願に組み込まれる米国特許出願公開第２０１１／０３１０１４９号明細書を参照）。スピッティングは、保守サイクル中に実行される、又は、印刷ジョブ中の媒体シート同士の間で実行される場合がある。
【０００５】
インクジェットプリンタは、ノズルを水和状態に維持するための様々な方策をさらに採用し、それによって、必要とされる保守介入の頻度を最小限に抑え得る。ノズルを機能状態に戻すための保守介入は、時間がかかるとともにインクを無駄使いし、また、できる限り避けるべきである。従来の保守ステーションは、ウェブを切断しないと媒体経路を横切れないので、保守介入は、媒体ウェブ上に印刷する時に潜在的に問題がある。さらに、ページ間スピッティングは、連続的な媒体ウェブ上に印刷する時の選択肢にはならない。
【０００６】
非放出ノズルの詰まりを最小限に抑える１つの方策は、インクの小滴を排出するために不十分なエネルギーを有するが、ノズルチャンバ内のインクを温めてそれによってその粘度を低下させるのに十分なエネルギーを有するサブ排出パルスを用いる。この方法におけるサブ排出パルスの使用は、参照によってその内容が本願に組み込まれる米国特許第７８４５７４７号明細書で説明されている。
【０００７】
ノズルの詰まりを最小限に抑える別の方策は、ノズルチャンバ内のインクが連続的に再び満たされて脱水状態になる機会を有しないように、プリントヘッドの各ノズルが定期的に放出されることを確実にすることである。参照によってその内容が本願に組み込まれる米国特許第７２４６８７６号明細書は、プリントヘッドの各ノズルが、ノズルのデキャップ時間より短い時間内に放出されることを確実にするために媒体基材上に低密度のキープウェットパターン（keep-wet pattern）を印刷することを説明している。通常、キープウェットパターンによる媒体基材上のドットの密度は、１：２５０よりも小さく、また、可視性を最小限にするために集められていない。
【０００８】
キープウェットパターンは、インクジェットプリンタにおいて、特に、ページ間のスピッティングの機会がなく保守介入のための機会が少ないインクジェットウェブプリンタにおいて良好な印刷品質を維持するために潜在的に重要な方策である。しかしながら、キープウェットパターンは、プリンタに送信される画像データの一部ではない追加のドットを印刷することによって印刷品質を逆説的に低下させる。従って、特に、ページ間のスピッティングを実行することができないインクジェットウェブプリンタにおいて、キープウェットパターンの可視性を最小限に抑え、かつ、印刷品質をさらに向上させることが望ましい。
【発明の概要】
【０００９】
第１態様では、複数のインク面を有するインクジェットプリントヘッドのための印刷データを生成する方法が提供され、当該方法は、
プリンタコントローラで印刷ジョブのための画像データを受信するステップと、
プリントヘッドの各インク面のためのキープウェットパターンを読み出すステップであって、読み出されたキープウェットパターンが１以上の入力パラメータを用いて決定される、ステップと、
受信した画像データに基づいてプリンタコントローラ内のプリントヘッドの各インク面のための第１印刷データを生成するステップと、
第１印刷データにキープウェットデータを結合してプリントヘッドの各インク面のための第２印刷データを提供するステップと、
第２印刷データ、又は、第２印刷データに基づく第３印刷データを、プリンタコントローラからプリントヘッドに送信し、それによって、キープウェットパターンとともに画像をプリントヘッドに印刷させるステップと、を含み、
キープウェットパターンは、プリントヘッド内の各ノズルの水和を維持するために十分な周波数で印刷される複数のドットによって規定される。
【００１０】
第１態様に係る方法は、印刷ジョブに関するパラメータに従ってプリントヘッドの各インク面から排出されるキープウェットパターンを調整することによって、印刷されたキープウェットパターンの可視性を有利に最小化する。このようにして、各インク面から排出されたキープウェット小滴の周波数を、キープウェットパターンの全体の可視性を顕著に低下させる絶対最小値に維持することができる。
【００１１】
好ましくは、少なくとも１つのインク面が、プリントヘッドの少なくとも１つの他のインク面と異なるキープウェットパターンを排出する。ある実施形態では、各インク面は、異なるキープウェットパターンを排出してもよい。
【００１２】
好ましくは、第１印刷データにキープウェットパターンデータを結合するステップは、第１印刷データにキープウェットパターンデータを論理和するステップを含む。
【００１３】
好ましくは、当該方法は、第１印刷データに結合する前にキープウェットパターンデータにオフセットを適用するステップを含む。言い換えれば、プリンタコントローラによって読み出された第１キープウェットパターンデータは、オフセットを適用することによって第１印刷データに結合するための第２キープウェットパターンデータに変換される。
【００１４】
好ましくは、印刷ジョブにおける連続するページが同一のキープウェットパターンとともに印刷されないように、異なるオフセットが異なるページに適用される。従って、オフセットは、多くのページにまたがるキープウェットパターンの反復によって引き起こされる目に見えるアーチファクトを最小限に抑える。
【００１５】
好ましくは、画像データは、プリントヘッドのためのプリンタドライバによってプログラミングされたコンピュータシステムから受信される。
【００１６】
ある実施形態では、プリンタコントローラ（例えば印刷エンジンコントローラチップ）は、プリンタドライバからキープウェットパターンデータを読み出してもよい。言い換えれば、プリンタドライバは、印刷ジョブに関するパラメータを用いてキープウェットパターンデータを生成し、かつ、プリンタコントローラに画像データとともにキープウェットパターンデータを送信する。
【００１７】
他の実施形態では、プリンタコントローラは、複数の異なるキープウェットパターンデータを記憶するメモリを備えてもよく、特定の印刷ジョブのための各インク面のためのキープウェットパターンデータがメモリから読み出される。プリンタコントローラは、印刷ジョブに関するパラメータに基づいてどのキープウェットパターンデータを採用するかを決定してもよい。代替的に、プリンタドライバは、どのキープウェットパターンデータを採用するかを決定してもよく、かつ、特定の印刷ジョブのためのそのメモリから適切なキープウェットパターンデータをプリンタコントローラが読み出すことができるようにするためにプリンタコントローラにキープウェットパターン識別子を送信してもよい。
【００１８】
好ましくは、各インク面のためのキープウェットパターンデータは、
プリントヘッド内の各インク面の位置、
印刷ジョブの印刷速度、
各インク面から印刷されたインクのタイプ（例えばインク色、インク粘度、着色増量剤等）、
印刷媒体のタイプ、
印刷ジョブの長さ、
周囲湿度、
周囲温度、
画像データ、
各インク面から印刷されたキープウェットパターン同士の間の光学干渉（例えばモアレ干渉）、及び、
最小印刷品質閾値、から選択された１以上のパラメータを用いて決定される。
【００１９】
好ましくは、各インク面のためのキープウェットパターンデータは、以下の、
（媒体供給方向に対する）プリントヘッド内の各インク面の位置、及び、
各インク面から印刷されたインクのタイプ、の少なくとも２つのパラメータを用いて決定される。
【００２０】
好ましくは、各インク面のためのキープウェットパターンは、１以上のパラメータを重み付けしてキープウェットパターンを決定するアルゴリズムによって決定される。
【００２１】
好ましくは、アルゴリズムは、プリンタファームウェア（例えば印刷エンジンコントローラチップ内のファームウェア）内に、又は、プリンタに接続されたコンピュータシステムで実行するプリンタドライバ内に、プログラミングされる。
【００２２】
好ましくは、各インク面のためのキープウェットパターンはドットの疑似ランダムパターンを含む。
【００２３】
好ましくは、異なるインク面のためにキープウェットパターンを規定する複数のドットはドットオンドットで印刷されない（すなわち、ドットオフドットで印刷される）。異なるインク面のためのそれぞれのキープウェットパターンにおいてドットオンドット印刷を避けることは、印刷媒体上でのドットゲインを最小化し、及び従って、可視性を最小化する。それにも関わらず、異なるインク面からのキープウェットパターンのドットオンドット印刷はある状況で適切であり、本発明はドットオフドット印刷に限定されない。
【００２４】
好ましくは、印刷されたキープウェットパターンを規定するドットは、１：１０００未満、１：５０００未満、又は、１：１００００未満の密度を有する。言い換えれば、（すべてのインク面から）印刷されたキープウェットパターンは、印刷媒体上で、０．１％未満の、０．０５％未満の、又は、０．０１％未満の画線比率を有することが好ましい。
【００２５】
別の態様では、インクジェットプリントヘッドのための印刷データを生成するプリンタコントローラが提供され、当該プリンタコントローラは、
プリンタコントローラで印刷ジョブのための画像データを受信し、
プリントヘッドの各インク面のためのキープウェットパターンデータを読み出し、読み出したキープウェットパターンデータは１以上の入力パラメータを用いて決定され、
受信した画像データに基づいてプリンタコントローラ内のプリントヘッドの各インク面のための第１印刷データを生成し、
第１印刷データにキープウェットパターンデータを結合して、プリントヘッドの各インク面のための第２印刷データを提供し、及び、
第２印刷データ、又は、第２印刷データに基づく第３印刷データをプリンタコントローラからプリントヘッドに送信し、それによって、キープウェットパターンとともに画像をプリントヘッドに印刷させるように、構成される。
【００２６】
第２態様では、複数のインク面を有する固定インクジェットプリントヘッドから印刷する方法が提供され、当該方法は、
媒体供給方向にプリントヘッドを通過するように印刷媒体を供給するステップであって、媒体供給方向は、プリントヘッドの相対的な上流及び下流を規定する、ステップと、
印刷媒体上に画像を印刷するステップであって、画像は画像データによって規定される、ステップと、
プリントヘッドの各インク面から印刷媒体上にキープウェットパターンを印刷するステップであって、プリントヘッド内の各ノズルの水和を維持するために十分な周波数で印刷された複数のドットによって規定される、ステップと、を含み、
第１インク面からの第１キープウェットパターンは、第２インク面からの第２キープウェットパターンよりも高い周波数で印刷され、第１インク面は、プリントヘッド内で最も上流にある。
【００２７】
第２態様に係る方法は、インクジェットプリントヘッド内の下流のインク面に比べて、上流のインク面の局所環境を相対的により脱水することを利用する。このことは、その内容が参照によって本願に組み込まれる米国特許出願公開第２０１２／００９２４０３号明細書で説明されるように、高速ウェブプリンタで使用されるモノクロプリントヘッドで特に有用である。しかしながら、第２態様に係る方法は多色プリントヘッドで使用されてもよい。
【００２８】
概して、印刷媒体によって媒体供給方向に生成される気流は、プリントヘッド内で最も上流に位置決めされたインク面を吹き付ける傾向にあり、また、それらのノズルに相対的により大きな脱水効果を与える。従って、上流のノズルは、媒体供給方向及び気流に対してさらに下流に位置決めされたそれらのノズルよりも、より頻繁に小滴を排出して水和されたままであることが必要である。当然の結果として、最も上流のインク面に低輝度色（例えば黄）を配置することによってキープウェットパターンの可視性を最小化することができる。相対的に高いキープウェット周波数で黄インクを印刷することは、例えば、同一のキープウェット周波数で黒又は赤紫を印刷する場合よりも視覚の影響ははるかに小さい。
【００２９】
好ましくは、各インク面は１以上のノズル行を備え、同一のインク面内の各ノズル行には同一のインクが供給される。通常、各インク面は、印刷のラインにおいて偶数及び奇数のドットを印刷するための１対のノズル行を備える。プリントヘッドの各インク面はすべて、モノクロプリントヘッドの場合に同一色のインクを排出してもよい。代替的に、少なくとも１つのインク面が、多色プリントヘッドの場合に、少なくとも１つの他のインク面と異なる色のインクを排出してもよい。
【００３０】
通常、隣接するインク面は、約２０〜１０００ミクロン、又は、３０〜５００ミクロン、又は、５０〜１００ミクロンの距離だけ互いから間隔を空けて配置される。
【００３１】
好ましくは、プリントヘッドの各ノズルは、各印刷ジョブ中、０．５Ｈｚより高い周波数（例えば１〜２０Ｈｚ）で放出する。各ノズルの最小放出周波数は、画像を印刷することによって、及び／又は、画像と同一の広がりを有するキープウェットパターンを印刷することによって、保証される。
【００３２】
好ましくは、キープウェットパターンは、裸眼の人間の目には実質的に見えないドットの疑似ランダムパターンを含む。各インク面及び各印刷ジョブに用いられる特定のパターンは、キープウェットパターンの全体の視覚の影響をできる限り最小化するために変更されてもよい。
【００３３】
好ましくは、プリントヘッドは、第１及び第２インク面の間に位置決めされた第３インク面を備え、第３インク面は第３キープウェットパターンを印刷する。プリントヘッドはさらに、第１及び第２インク面の間に位置決めされた第４、第５及び／又は第６インク面を備えてもよい。第１及び第２インク面の間に位置決めされたそれらのインク面は概して、「中間」のインク面として参照される、通常、プリントヘッドは、４つ又は５つのインク面を備えるが、１つのプリントヘッドにおけるインク面の数は特定の数に限定されない。
【００３４】
好ましくは、第２キープウェットパターンは、第１キープウェットパターンよりも低い周波数で印刷される。
【００３５】
好ましくは、第３キープウェットパターンは、第１キープウェットパターンよりも低い周波数で印刷される。
【００３６】
好ましくは、第３キープウェットパターンは、第１及び第２キープウェットパターンよりも低い周波数で印刷される。
【００３７】
概して、隣接するインク面によって両側で側面を守られるインク面は、隣接するインク面の局所的な水和効果からの利益を受ける。さらに、上流のインク面は、気流から下流のインク面を遮蔽する傾向にある。従って、最も上流のインク面と最も下流のインク面との間に位置決めされたインク面である中間のインク面は、上流のインク面の遮蔽効果及び隣接する１対のインク面の局所的な水和効果の両方から利益を受けるので、最も低い周波数のキープウェットパターンを通常は必要とする。さらに下流のインク面は、遮蔽効果からの利益を受けるが、中間のインク面と同一の局所的な水和効果の利益を受けない。従って、最も下流のインク面は通常、中間のインク面よりも高いキープウェット周波数を必要とするが、さらに上流のインク面よりも低い周波数を必要とする。当然の結果として、高輝度色（例えば黒色）を中間のインク面に配置するとともに低輝度色（例えば黄色）を最も上流のインク面に配置することによって、キープウェットパターンの可視性を最小化することができる。
【００３８】
同様に、複数の整列したモノクロプリントヘッドから構成されたプリンタは、最も上流のプリントヘッドとして最も低輝度のインク（例えば黄色）を排出するプリントヘッドから有利に利益を受け、さらに有利には、中間のプリントヘッドとして最も高輝度のインク（例えば黒色）を排出するプリントヘッドからの利益を受ける。
【００３９】
従って、第３態様では、媒体供給方向に整列したモノクロの固定インクジェットプリントヘッドのアレイから構成された多色プリンタが適用され、当該プリンタは、
媒体供給方向に対して最も上流に位置決めされた第１プリントヘッドと、
媒体供給方向に対して最も下流に位置決めされた第２プリントヘッドと、
第１及び第２プリントヘッドの間に位置決めされた第３プリントヘッドと、を備え、
各プリントヘッドには多色インクセットからそれぞれのインクが供給され、
第１プリントヘッドには最も低輝度のインクセットのインクが供給され、第３プリントヘッドには最も高輝度のインクセットのインクが供給される。
【００４０】
第３態様に係るプリンタでは、隣接するプリントヘッドは概して、ミクロンオーダの間隔を有するインク面とは対照的に、センチメートルオーダの距離だけ互いから間隔を空けて配置される。通常、隣接するプリントヘッドは、２〜５０ｃｍ、３〜３０ｃｍ、又は、５〜２０ｃｍの距離だけ互いから間隔を空けて配置される。従って、上述した遮蔽効果及び局所水和効果は、隣接するインク面とは対照的に隣接するプリントヘッドに関するプリンタではより小さい。それにも関わらず、このプリントヘッドは、印刷媒体によって生成される気流からより多くの吹き付けを受け、及び従って、アレイの最も脱水環境に位置決めされるので、最も低輝度のインクを排出するプリントヘッドがアレイ内で最も上流に位置決めされるようにプリントヘッドを配列することに大きな利点が依然としてある。
【００４１】
好ましくは、第１プリントヘッドには黄色インクが供給される。
【００４２】
好ましくは、第３プリントヘッドには黒色インクが供給される。
【００４３】
好ましくは、１以上の他のプリントヘッドが第１及び第２プリントヘッドの間に位置決めされる。従って、プリンタは４つ以上のプリントヘッドから構成されてもよい。
【００４４】
好ましくは、プリンタは、印刷媒体のウェブを媒体供給方向にプリントヘッドの各々を通過するように供給するための供給機構をさらに備える。好ましくは、供給機構は、０．５メートル毎秒より大きい、１メートル毎秒より大きい、又は、２メートル毎秒よりも大きい速度で印刷媒体のウェブを供給するように構成される。
【００４５】
好ましくは、プリンタは、複数のプリントヘッドの各々に印刷データを送信するようにプログラミングされた１以上のプリンタコントローラをさらに備え、印刷データは、印刷媒体上にそれぞれのキープウェットパターンを印刷するようにプリントヘッドを構成し、各キープウェットパターンは、それぞれのプリントヘッドの各ノズルの水和を維持するのに十分な周波数で印刷される複数のドットによって規定される。
【００４６】
好ましくは、第１プリントヘッドのすべてのノズルが第１平均周波数で第１キープウェットパターンを印刷するように構成され、第２プリントヘッドのすべてのノズルが第２平均周波数で第２キープウェットパターンを印刷するように構成され、かつ、第３プリントヘッドのすべてのノズルが第３平均周波数で第３キープウェットパターンを印刷するように構成される。
【００４７】
好ましくは、第１平均周波数は第２平均周波数よりも高い。
【００４８】
好ましくは、第１平均周波数は第３平均周波数よりも高い。
【００４９】
好ましくは、第３平均周波数は第１及び第２平均周波数よりも低い。
【００５０】
第４態様では、媒体供給方向に整列したモノクロの固定インクジェットプリントヘッドのアレイから構成された多色プリンタが提供され、当該プリンタは、
媒体供給方向に対して最も上流に位置決めされた第１プリントヘッドと、
媒体供給方向に対して最も下流に位置決めされた第２プリントヘッドと、
第１及び第２プリントヘッドの間に位置決めされた第３プリントヘッドと、を備え、
各プリントヘッドに多色インクセットからそれぞれのインクが供給され、
第３プリントヘッドに最も高輝度のインクセットのインクが供給される。
【００５１】
本発明の実施形態を、添付の図面を参照して例示によってのみここで説明する。
【図面の簡単な説明】
【００５２】
【図１】コンピュータシステムとプリンタとの間のデータの流れを示す図である。
【図２】印刷エンジンコントローラチップ（ＰＥＣ）とプリントヘッドとの間のデータを示す図である。
【図３】単位セルに基づくキープウェットパターンによってタイル表示されたページを概略的に示す図である。
【図４】上流及び下流のインク面を有するプリントヘッドを概略的に示す側面図である。
【図５】複数の整列したモノクロプリントヘッドを備えるプリンタを概略的に示す平面図である。
【発明を実施するための形態】
【００５３】
インク面ごとに調整されたキープウェットパターン
図１を参照すると、第１態様に関連して説明する方法を実行するための特定の構造を有する印刷システムが概略的に示されている。
【００５４】
コンピュータシステム２は、例えば有線又は無線接続などの適切な通信リンクを介してプリンタ４と通信する。コンピュータシステム２は、印刷される予定の画像を生成する適切なアプリケーション８から圧縮画像ファイルを受信するラスタ画像プロセッサ（ＲＩＰ）６を備える。圧縮画像ファイルは、例えばＰＤＦ、ＪＰＥＧ、ＴＩＦＦ、ＧＩＦ等の任意の適切な画像ファイル形式であってもよく、又は、例えばＰｏｓｔＳｃｒｉｐｔ、ＰＤＬ等の任意の適切なページ記述言語であってもよい。ＲＩＰ６は、圧縮画像データを処理し、かつ、プリンタドライバ１０にビットマップ画像データを送信する。プリンタドライバ１０は、プリンタ４の印刷エンジンコントローラチップ（「ＰＥＣ」）１２に、プリントヘッド２０の各インク面のためのキープウェットパターンデータ（「キープウェットデータ」）とともにビットマップ画像データを送信する。各インク面のための適切なキープウェットパターンデータの決定は以下にさらに詳細に説明する。
【００５５】
代替の構造では、アプリケーション８は、ＰＥＣ１２に圧縮画像データを送信するプリンタドライバ１０に圧縮画像ファイルを直接送信してもよい。この代替の構造では、ＰＥＣ１２は、圧縮画像データを解凍してビットマップ画像データを生成する。
【００５６】
さらに別の代替の構造では、プリンタドライバ１０は、実際のキープウェットパターンデータに代えてＰＥＣ１２に各インク面のためのパターン識別子を送信してもよい。この代替の構造では、ＰＥＣ１２は、各々がそれぞれのパターン識別子によってインデックスを付けられる複数の異なるキープウェットパターンデータを記憶するプリンタ４のメモリ（例えばＰＥＣ１２内のメモリ）から、各パターン識別子に対応するキープウェットパターンデータを読み出す。
【００５７】
さらに別の代替の構造では、プリンタドライバ１０はＰＥＣ１２に画像データのみを送信する。この代替の構造では、（プリンタドライバ１０ではなく）ＰＥＣ１２が、各インク面のための適切なキープウェットパターンデータを決定し、かつ、メモリからこれらのデータを読み出す。
【００５８】
以上の説明から、本発明を実施するために様々な代替の構造が当業者には容易に分かることが理解されよう。図１に示す特定の構造は、限定的なものではなく、例示の目的のみにために示されている。
【００５９】
ここで図２を参照すると、ＰＥＣ１２はプリントヘッド２０の各インク面のための印刷データを生成する。この場合、プリントヘッド２０は５つのインク面を有しているが、プリントヘッドは任意の数のインク面を有してもよいことが理解されよう。プリンタドライバ１０から受信された５つのインク面の各々のためのキープウェットデータは、ＰＥＣ１２の第１書き込み可能メモリ２２（例えばＲＡＭ）内にロードされる一方で、画像データは、ＰＥＣの同一の又は異なるメモリユニットであってもよい第２書き込み可能メモリ２４内にロードされる。画像データは、異なるインク面に分割されてＰＥＣ内で処理され、各インク面のための第１印刷データを生成する。各インク面のための第１印刷データは、（第１書き込み可能メモリ２２から対応のキープウェットデータを読み出すことによって）そのインク面のための対応のキープウェットデータに結合（論理和「ＯＲ」）され、第２印刷データを生成する。最終的に、印刷データは、各インク面のためのプリントヘッド２０に送信される。結合ステップから生じた第２印刷データは、通常、ＰＥＣ１２内でさらに処理され、プリントヘッド２０への送信前に第３印刷データを生成する。言うまでもなく、図２がＰＥＣ処理に関する簡略化されたスキームを表していること、及び、明確化のため、印刷データを生成するためのいくつかの処理ステップが省略されたことが理解されよう。
【００６０】
キープウェットパターンデータは、印刷画像に重畳されるドットの疑似ランダムパターンを表している。キープウェットパターンは、プリントヘッド２０の各ノズルが、ノズルのデキャップ時間よりも通常は短い既定の時間内で放出されることを確実にする。キープウェットパターンは従って、たとえ印刷画像がそのノズルの放出を求めない場合であって保守介入がなかった場合であっても、プリントヘッドの各ノズルが、印刷ジョブ中に適切に水和されたままであることを確実にする。
【００６１】
各インク面のキープウェットパターンにおけるドットの疑似ランダムパターンは、印刷媒体を横方向及び下方の両方に繰り返される単位セル（例えば矩形タイル）に基づいてもよい。例えば、図３を参照すると、特定のインクチャネルのためのキープウェットパターンの各単位セルは、ページ２７上でタイル表示されるｍ×ｎの矩形セル２６から構成されてもよい。行ｎ（セルの高さを表す）の数は、印刷の２００〜１０００００ラインの範囲であってもよく、及び、列ｍ（セルの幅を表す）の数は、１００〜５０００ノズルの範囲であってもよい。図３では、印刷のラインは、ライン２８として概略的に表されている一方で、ノズルは、矢印２９として概略的に表されている（明確化のために２つのみを示す）。
【００６２】
単位セル２６は、任意の適切な形状（例えば六角形、三角形等）又は寸法を有してもよいことが理解されよう。しかしながら、相対的により大きなセル２６は、キープウェットパターンにおいてより大きな程度の疑似ランダム性とより小さな全体可視性とを提供する。
【００６３】
キープウェットパターンをさらにランダム化するため、同一のキープウェットパターンが各印刷ページを連続的に横断してタイル表示されないように、続きのページ上のキープウェットパターンに様々なオフセットが適用されてもよい。オフセットは、例えば全ページの縁の同一の位置にドットが現れる、ページ順に並べられた書類において目に見える反復アーチファクトを除去することを助ける。オフセットは通常、キープウェットパターンデータを第１印刷データに結合する前にＰＥＣ１２によって適用される。オフセットは、ｐ＜ｎかつｑ＜ｍの場合に、全印刷ページについてｐ行及び／又はｑ列だけキープウェットパターンを先送りする単純な命令であってもよい。通常、ｐ及びｑは各々、１〜５０の独立した整数である。
【００６４】
自明であるが、キープウェットパターンの印刷の欠点は印刷品質の損失であり、及び従って、キープウェットパターンの可視性をできる限り最小化することを確実にすることが重要である。
【００６５】
本発明の第１態様は、プリントヘッドの各インク面のためのキープウェットパターンを特定の印刷ジョブに合わせて調整することを可能にする。通常、プリンタドライバ１０は、１以上の入力パラメータに基づいて各インク面に適切なキープウェットパターンを決定し、及び、ＰＥＣ１２に適切なキープウェットパターンデータを送信する。プリンタドライバ１０は通常、様々な入力パラメータを適切に重み付けすることによってインク面のためのキープウェットパターンの最も適切な組み合わせを決定するためのアルゴリズムを有している。上述したように、代替のシステム構造では、キープウェットパターンデータの決定はプリンタ４のＰＥＣ１２によってすべてが実行されてもよい。
【００６６】
各インク面のためのキープウェットパターンを決定するために用いられ得るパラメータのいくつかを以下に詳細に説明する。
【００６７】
（１）プリントヘッドにおけるインク面の位置
プリントヘッドにおけるインク面の位置は、その大部分が、インク面の局所的な脱水環境を決定し、及び従って、要求されるキープウェット排出の周波数を決定する。通常、プリントヘッドのさらに上流のインク面は、プリントヘッドが受けた気流の結果として最も脱水環境にあり、及び従って、下流のインク面よりもさらに頻繁にキープウェットパターンを必要とする。このことを以下にさらに詳細に説明する。
【００６８】
（２）印刷速度
印刷速度は、プリントヘッドが受けた気流の速度に直接的に関連する。印刷速度が速くなるにつれて、移動する印刷媒体によって生成される気流の速度が速くなり、このことはノズルにより大きな脱水効果を引き起こす。
【００６９】
（３）インクのタイプ
インクの色は、適切なキープウェットパターンを決定する際の重要な要因である。例えば、キープウェットパターンは、例えば黒色などの高輝度インクによって最も可視性が高く、例えば黄色などの低輝度インクによって最も可視性が低い。従って、より高周波数のキープウェットパターンは通常、黒色インク面よりも黄色インク面でより良好である。実際、黄色のキープウェットパターンは、相対的に高いキープウェット周波数であっても実質的に目に見えない。
【００７０】
さらに、いくつかのインクは、他のインクとは異なる脱水特性を本質的に有しており、これは、特定のインク面のために適切なキープウェットパターンを決定するための基本的な基準である。例えば、相対的に高い着色増量剤を有するインクは、相対的に低い着色増量剤を有するインクに比べて脱水効果を受けやすい。当然のことながら、すべてのインク面が同一のインクを排出するモノクロプリントヘッドでは、インクの本質的な脱水特性はプリントヘッドの各インク面において同一である。
【００７１】
（４）印刷媒体のタイプ
キープウェットパターンの可視性は通常、普通の印刷媒体に印刷される時により低く、光沢のある印刷媒体に印刷される時により高い。
【００７２】
（５）印刷ジョブの長さ
脱水効果は、平衡点に到達するのではなく、徐々に増大していく傾向にある。従って、印刷ジョブの長さは、適切なキープウェットパターンを決定するために重要なパラメータである。一般に、たくさんの印刷部数に関しては、変動する印刷品質を有することは望ましくなく、従って、キープウェットパターンは、印刷部数の終わりに通常はある最も大きな予測される脱水環境に基づいて決定されるべきである。
【００７３】
（６）周囲湿度
プリンタ上の適切な湿度センサを用いて、かつ、プリンタドライバに周囲湿度データをフィードバックすることによって、周囲湿度が測定されてもよい。プリンタが、相対的に湿度の高い環境に位置する場合、相対的に乾燥した環境に比べて、より周波数の低いキープウェットパターンが必要とされる。
【００７４】
（７）周囲温度
プリンタ上の温度センサを用いて、かつ、プリンタドライバに周囲温度データをフィードバックすることによって、周囲温度が測定されてもよい。プリンタが相対的に涼しい環境に位置する場合、相対的に温かい環境に比べて、より周波数の低いキープウェットパターンが必要とされる。
【００７５】
（８）画像コンテンツ
理想的には、キープウェットドットは、できる限り、それらが印刷品質に与える影響を最小限にするように、画像に一致すべきである。同様に、高輝度（黒）キープウェットドットを画像中の低輝度の領域上に印刷することはできる限り避けるべきである。従って、各インク面のための最も適切なキープウェットパターンの決定は画像データを考慮に入れてもよい。例えば、規則的に繰り返される色のブロックを画像が包含する場合、それらの繰り返される色のブロックに一致するキープウェットパターンが最も適切であり得る。
【００７６】
（９）光学干渉
プリントヘッドのインク面のいくつか又はすべてが通常、異なるキープウェットパターンを排出する。組み合わせられたキープウェットパターンの可視性は、様々なキープウェットパターン同士の間に光学干渉効果（例えばモアレ干渉効果）がある場合に意図せず増大することがある。従って、プリントヘッドのインク面のための選択されたキープウェットパターンは、印刷媒体上に一緒に印刷される時に光学干渉効果を最小限に抑える意味で、好ましくは直交すべきである。通常、キープウェットパターンは、異なるキープウェットパターンからのいかなるドットオンドット印刷も最小限に抑えるために選択される。
【００７７】
（１０）最小印刷品質閾値
各印刷ジョブは、エンドユーザによって設定される最小印刷品質閾値を有してもよい。印刷品質の最大化は最重要であるが、あるエンドユーザは、他者とは異なる印刷品質基準を有している場合がある。このことは、今度は、使用可能なキープウェットパターンに影響を与える。ある状況では、キープウェットパターンが、許容可能な印刷品質限界内に組み込まれ得るように、他の印刷パラメータ（例えば印刷速度又は印刷ジョブの長さ）を変更する必要があり得る。
【００７８】
前述から、プリントヘッド４の各インク面のためのキープウェットパターンが、最小の可視性を有するすべての印刷されたキープウェットパターンを提供するように調整されてもよい。
【００７９】
上流側のインク面において最も高いキープウェット周波数
本開示に関連して採用されたプリントヘッドは通常、複数のインク面を備える。各インク面は１以上のノズル行を備え、１つのインク面の各ノズルに同一のインクが供給される。例えば、Ｍｅｍｊｅｔ（登録商標）プリントヘッドは、同一のインクが供給される、インク面ごとに１対のノズル行を備えており、一方のノズル行が「偶数」ドットを印刷し、他方のノズル行が「奇数」ドットを印刷して、１つのインク面のための印刷のラインを形成する。
【００８０】
複数のインク面に、同一のインクが供給されても、すべて異なるインクが供給されても、又は、少なくとも１つの同一のインク及び少なくとも１つの異なるインクが提供されてもよい。例えば、５つのインク面を有するプリントヘッドでは、５つのインク面のすべてに同一のインクが供給されて、モノクロプリントヘッド（例えばＣＣＣＣＣ、ＭＭＭＭＭ、ＹＹＹＹＹ、ＫＫＫＫＫ等）を提供してもよい。代替的に、いくつかのインク面のみに同一のインク（例えばＣＭＹＫＫ、ＣＣＭＭＹ等）が供給されてもよい。代替的に、各インク面に、異なるインク（例えば、ＩＲが赤外インクであり、Ｓが例えばカーキ、橙色、緑色、メタリックインク等のスポットカラーである場合に、ＣＭＹＫ（ＩＲ）又はＣＭＹＫＳ）が供給されてもよい。
【００８１】
固定の又は動かないインクジェットプリントヘッドによれば、プリントヘッドの各インク面は、媒体供給方向に対して相対的に上流又は下流に位置決めされる。本発明者らは、固定されたインクジェットヘッドプリントヘッドにおける各インク面の相対的な位置決めが、印刷中のプリントヘッドにおける他のインク面に対するそのインク面の局所的な湿度に著しい影響を有することを発見した。概して、媒体供給方向に対して最も上流に位置決めされたインク面は、プリントヘッドにおける他のインク面よりも相対的により脱水環境（すなわち、湿度が低い）にあることが観察された。
【００８２】
図４を参照すると、５つのインク面（３２、３４、３６、３８及び４０）を備えるインクジェットプリントヘッド２０の側面が概略的に示されており、各々のインク面は、１対のノズル行（３２Ａ及び３２Ｂ、３４Ａ及び３４Ｂ、３６Ａ及び３６Ｂ、３８Ａ及び３８Ｂ、並びに、４０Ａ及び４０Ｂ）を備えている。インク面は、５０〜１００ミクロンの距離だけ各々から隔てられている。
【００８３】
印刷媒体４５は、媒体供給機構４７によって媒体供給方向（図４において右から左）に供給され、媒体供給機構４７は、その間に規定されたニップにおいて印刷媒体を把持する１対の対向ローラの形態をとってもよい。媒体供給方向は従って、プリントヘッド２０の上流側及び下流側を規定する。
【００８４】
媒体供給方向における印刷媒体４５の動きは、図４に示すように、対応の方向に気流を生成する。この気流の速度は、印刷媒体の速度に依存し、かつ、ある程度は、印刷媒体のタイプに依存する。例えば、連続的なウェブは、印刷媒体の別個のシート上への印刷よりも速い気流を生成する傾向にある。
【００８５】
この気流の結果、プリントヘッド２０のさらに上流のインク面３２が、他のインク面３４、３６、３８及び４０に比べて相対的に最も脱水環境に位置決めされる。インク面３２が気流に最も曝される一方で、下流のインク面３４、３６、３８及び４０は、ノズル行３２Ａ及び３２Ｂから排出されるインク小滴の流れによってこの脱水気流からある程度の遮蔽を享受する。
【００８６】
プリントヘッドの各ノズルが印刷ジョブ中に十分に水和されることを維持するために、プリントヘッド２０は、最小限に必要とされる周波数のキープウェット小滴を排出することが望ましい。要求を超えるキープウェット小滴は、インクの無駄遣いになるばかりでなく、最も重要なことに、印刷品質を不必要に低下させる。
【００８７】
前述から、インク面３２に必要な最小のキープウェット周波数が、他のインク面３４、３６、３８及び４０に必要な最小のキープウェット周波数よりも高いことは明らかである。この観察は、各インク面のために最小限必要なキープウェット周波数のみを確保することによってキープウェットパターンの全体の可視性を最小化するために、モノクロ及び多色のプリントヘッドの両方で用いられ得る。
【００８８】
さらに、多色プリントヘッドでは、最も上流のインク面３２に例えば黄色などの低輝度色を供給することが、このインク面から排出された相対的に高い周波数のキープウェットパターンの可視性を有利に最小化する。通常のＣＭＹＫインクセットでは、黄色は、他の色に比べて圧倒的に最も低い輝度を有している（白色紙上でのＣＭＹＫインクの名目上の輝度は以下のとおりである：Ｃ（３０％）、Ｍ（５９％）、Ｙ（１１％）及びＫ（１００％））。従って、最も上流のインク面３２に黄色インクを供給することによって、すべての色面によって排出された全キープウェットパターンの認知された可視性を顕著に低下させることができる。
【００８９】
上述したように、最も上流のインク面３２は、気流の遮蔽の利益を受けられないので、プリントヘッド２０の局所的に最も脱水環境に位置決めされる。上流のインク面の遮蔽効果とは別に、特定のインク面の局所的な湿度を決定する補助的な要因は、隣接するインク面の数である。例えば、図４では、インク面３４、３６及び３８は各々、１対の隣接するインク面を有している一方で、インク面３２及び４０は１つの隣接するインク面しか有していない。隣接するインク面は、その間に挟み込まれたインク面の局所的な湿度を増大させる傾向にある。従って、プリントヘッド２０において最も下流に位置決めされたインク面４０は、インク面３４、３６及び３８よりも相対的により脱水環境に位置決めされるが、インク面３２よりも相対的に低い脱水環境に位置決めされる。その結果、プリントヘッド２０に関するインク面の相対的な最小キープウェット周波数は、インク面３２＞インク面４０＞インク面３４、３６及び４０の順であり得る。
【００９０】
インク面３４、３６及び４０は、最も低い脱水局所環境に位置決めされるので、キープウェットパターンの可視性を最小化するためにこれらの中間のインク面に対して最も高輝度のインク（通常は黒色）を供給することが好都合である。
【００９１】
前述の観点から、ＣＭＹＫインクが供給される５つのインク面を有するＭｅｍｊｅｔ（登録商標）プリントヘッドでは、好都合な配管配置は、黄色（Ｙ）が最も上流で黒色が中間インク面を占める状態で、Ｙ−Ｋ−Ｍ−Ｋ−Ｃ又はＹ−Ｋ−Ｃ−Ｋ−Ｍであり得る。
【００９２】
複数の整列したモノクロプリントヘッド
１つのプリントヘッド２０のインク面に関連して上述した原理は、媒体供給方向に整列した複数のモノクロプリントヘッドから構成されたプリンタで適用されてもよい。
【００９３】
図５は、媒体供給方向に互いに整列した５つの固定されたインクジェットプリントヘッド５２、５４、５６、５８及び６０から構成された高速ウェブプリンタ５０を概略的に示す平面図である。プリントヘッドは、３〜２０ｃｍの距離だけ各々から間隔を空けて配置されている。各プリントヘッドは、複数のインク面から単色のインクを排出するモノクロプリントヘッドである。例えば、５つのモノクロプリントヘッド５２、５４、５６、５８及び６０は、ＣＭＹＫインク（例えばＣＭＹＫＫ）又はＣＭＹＫＳインクを排出してもよい。
【００９４】
印刷媒体のウェブ６２は、適切な媒体供給機構を用いて、図示される媒体供給方向にプリントヘッドの各々を通過するように供給される。米国特許出願公開第２０１２／００９２４０３号明細書（参照によって本願に組み込まれる）でより詳細に説明されるこのタイプのプリンタは、例えば０．２メートル毎秒よりも速い速度、０．５メートル毎秒よりも速い速度、又は、１メートル毎秒よりも速い速度などの非常に高速で印刷することができる。
【００９５】
図４に関連して上述した原理を拡張することによって、媒体供給方向に対して最も上流に位置決めされたプリントヘッド５２は、他のプリントヘッド５４、５６、５８及び６０に比べて相対的に最も脱水環境にある。従って、プリントヘッド５２は、他のプリントヘッドよりも高い平均キープウェット周波数を概して必要とする（各プリントヘッドの個々のインク面が異なるキープウェット周波数を有してもよいが、プリントヘッド５２におけるすべてのインク面にまたがる平均最小キープウェット周波数は、他のプリントヘッド５４、５６、５８及び６０に関する平均最小キープウェット周波数よりも高いことに留意されたい）。さらに、プリントヘッド５２から排出されたキープウェットパターンが最小の可視性を有するように、すなわち、黄色インクのより低い輝度が、プリントヘッド５２で要求されるより高い平均キープウェット周波数を有効に補償するように、プリントヘッド５２に最小輝度インク（通常は黄色）が供給されることが好都合である。
【００９６】
同様に、中間のプリントヘッド５４、５６及び５８の１以上に最大輝度インクを供給することが好都合である。これらのプリントヘッドは、２つの隣接するプリントヘッドの湿らせ効果とともに、プリントヘッド５２の上流の遮蔽効果からの少なくともある程度の利益を受ける。
【００９７】
プリントヘッド２０内のインク面のミクロンスケールの分離とは対照的に、プリンタ５０において間隔を空けて配置されたプリントヘッドはセンチメートルオーダであるので、プリンタ５０における局所的な湿らせ効果は、図４に関連して上述したものよりも小さいものである。それにも関わらず、プリンタ５０において最も上流に黄プリントヘッド５２を位置決めすることに実証可能な利点があり、かつ、これは、キープウェット周波数の最小化を通じて印刷品質を向上させる際に直接の効果を有している。キープウェットパターンは、ページ間のスピッティングの機会がなく、かつ、デスクトップ給紙プリンタに比べて保守介入のための機会が少ないインクジェットウェブプリンタにおいて十分な水和を維持するために事実上不可避である。従って、本発明は、例えば図５で示すようなプリンタ５０などのインクジェットウェブプリンタに関連して採用される時に最も好都合である。
【００９８】
当然のことながら、本発明を例としてのみ説明したが、添付の特許請求の範囲で定義される本発明の範囲内において細部の変更がなされてもよいことが理解されよう。
【図１】
0006386557.tif 000002
【図２】
0006386557.tif 000003
【図３】
0006386557.tif 000004
【図４】
0006386557.tif 000005
【図５】
0006386557.tif 000006